(57)【特許請求の範囲】
【請求項１】
入力デバイス依存画像データに対して複数のカラー画像出力デバイスの色再現を共通化する色再現共通化方法であって、
前記入力デバイス依存画像データに対し前段階調変換と色変換と後段階調変換を行い、網パーセントで表現される第１出力デバイス依存画像データに変換する既知の第１プロファイルを、前記網パーセントで表現される第２出力デバイス用第２プロファイルに共用する際、
前記第１出力デバイスでの前記網パーセントに対する濃度の関係を示す階調変換の逆変換、及び前記第２出力デバイスでの前記網パーセントに対する濃度の関係を示す階調変換の逆変換に基づいて、各濃度に対応する網パーセントの差分を求め、
前記第１プロファイルに前記差分を合成したプロファイルを、前記第２出力デバイス用第２プロファイルとして使用する
ことを特徴とする色再現共通化方法。
【請求項２】
請求項１記載の色再現共通化方法において、
前記差分を求めるとき、
前記入力デバイス依存画像データを構成する各カラーデータのグラデーションデータを、前記第１出力デバイス及び前記第２出力デバイスに直接入力し、各出力媒体上に形成された前記第１出力デバイス及び前記第２出力デバイスの前記グラデーションデータに対応する各パッチの各濃度を測定し、各パッチの各網パーセント差を前記逆変換同士の前記差分として求める
ことを特徴とする色再現共通化方法。
【請求項３】
請求項１又は２記載の色再現共通化方法において、
前記第１プロファイル中の前記後段階調変換と前記差分とを合成した新たな後段階調変換を、前記後段階調変換に代替使用する
ことを特徴とする色再現共通化方法。
【請求項４】
請求項１〜３のいずれか１項に記載の色再現共通化方法において、
前記カラー画像出力デバイスが網点画像を再現するプリンタである
ことを特徴とする色再現共通化方法。
【請求項５】
入力デバイス依存画像データに対して複数のカラー画像出力デバイスの色再現を共通化する色再現共通化方法を実施するコンピュータ読取可能なプログラムであって、
前記入力デバイス依存画像データに対し前段階調変換と色変換と後段階調変換を行い、網パーセントで表現される第１出力デバイス依存画像データに変換する既知の第１プロファイルを、前記網パーセントで表現される第２出力デバイス用第２プロファイル用に共用する際に、
前記第１出力デバイスでの前記網パーセントに対する濃度の関係を示す階調変換の逆変換、及び前記第２出力デバイスでの前記網パーセントに対する濃度の関係を示す階調変換の逆変換に基づいて、各濃度に対応する網パーセントの差分を求めるステップと、
前記第１プロファイルに前記差分を合成したプロファイルを、前記第２出力デバイス用第２プロファイルとして使用するステップと、
を備えることを特徴とする色再現共通化方法を実施するコンピュータ読取可能なプログラム。
【発明の詳細な説明】
【技術分野】
【０００１】
この発明は、例えば、一のカラー画像入力デバイスに対し複数のカラー画像出力デバイスの色再現を共通化する色再現共通化方法及び該方法を実施するコンピュータ読取可能なプログラムに関する。
【背景技術】
【０００２】
デバイス依存のカラー画像入力デバイス、例えばデジタルカメラのＲＧＢ出力を入力プロファイルで一旦デバイス非依存の測色値に変換した後、前記測色値を出力プロファイルでＣＭＹＫ入力に変換し、前記ＣＭＹＫ入力をデバイス依存のカラー画像出力デバイス、例えばプリンタに供給することにより、前記デジタルカメラと前記プリンタの色再現を共通化する（色合わせする）ことが知られている（特許文献１）。
【０００３】
なお、一般に、前記入力プロファイルと前記出力プロファイルとを結合したプロファイルをＤＬＰ（デバイスリンクプロファイル）という。
【０００４】
【特許文献１】特開２００２−３３５４１５号公報（図２）
【発明の開示】
【発明が解決しようとする課題】
【０００５】
ところで、前記デジタルカメラの色再現を前記プリンタ（一のプリンタ）とは別のプリンタで行おうとした場合、前記別のプリンタ用の出力プロファイル（デバイス非依存色からデバイス依存色への色変換）を作成する必要がある。
【０００６】
しかしながら出力プロファイルの作成は、多数のカラーパッチを出力し、出力したカラーパッチそれぞれの色を測色計で測定することが必要であり、そのような測定は非常に繁雑で時間がかかる。また測色計は高価であり、一般ユーザが保有することも困難である。
【０００７】
しかも、前記出力プロファイルは、例えばＸＹＺ等のいわゆる３Ｄ（ｔｈｒｅｅ  ｄｉｍｅｎｓｉｏｎｓ：３次元）の測色値からＣＭＹＫ等へのいわゆる４Ｄ（ｆｏｕｒ  ｄｉｍｅｎｓｉｏｎｓ：４次元）への変換を行うテーブルであり、体積補間計算が必要となり計算時間も膨大となる。
【０００８】
この発明はこのような課題を考慮してなされたものであり、一のカラー画像出力デバイス用プロファイルを他のカラー画像出力デバイス用プロファイルに簡易に共用（変換）することを可能とする色再現共通化方法及び該方法を実施するコンピュータ読取可能なプログラムを提供することを目的とする。
【課題を解決するための手段】
【０００９】
この発明に係る色再現共通化方法は、入力デバイス依存画像データに対して複数のカラー画像出力デバイスの色再現を共通化する色再現共通化方法であって、以下の特徴（１）〜（４）を備える。
【００１０】
（１）前記入力デバイス依存画像データに対し前段階調変換と色変換と後段階調変換を行い、第１出力デバイス依存画像データに変換する既知の第１プロファイルを、第２出力デバイス用第２プロファイルに共用する際、前記第１出力デバイスの階調変換と前記第２出力デバイスの階調変換の逆変換との差分を求め、前記第１プロファイルと前記差分とを、前記第２出力デバイス用第２プロファイルとして使用することを特徴とする。
【００１１】
この特徴（１）を有する発明によれば、前記第１出力デバイスの階調変換と前記第２出力デバイスの階調変換の逆変換との差分を求め、前記第１プロファイルと前記差分とを、前記第２出力デバイス用第２プロファイルとして使用するようにしているので、前記第２出力デバイスにより前記入力デバイス依存画像データの画像の色を管理・確認することができる。
【００１２】
これにより、一のカラー画像出力デバイス用プロファイル（第１出力デバイス用第１プロファイル）を他のカラー画像出力デバイス用プロファイル（第２出力デバイス用プロファイル）に簡易に共用（変換）することができる。
【００１３】
この結果、一のカラー画像入力デバイスから出力される入力デバイス依存画像データに対し複数のカラー画像出力デバイスでの色再現を簡易に共通化することができる。
【００１４】
（２）上記の特徴（１）を備える発明において、前記差分を求めるとき、前記入力デバイス依存画像データを構成する各カラーデータのグラデーションデータを、前記第１出力デバイス及び前記第２出力デバイスに直接入力し、各出力媒体上に形成された前記第１出力デバイス及び前記第２出力デバイスの前記グラデーションデータに対応する各パッチの各濃度を測定し、各パッチの各濃度差を前記階調変換同士の前記差分として求めることを特徴とする。
【００１５】
このようにすれば、差分は１Ｄ（ｏｎｅ  ｄｉｍｅｎｓｉｏｎ：１次元）であるので、計算はきわめて短時間にできる。しかも前記差分（差分データ）を記憶するメモリ容量も極めて少容量でよい。
【００１６】
（３）上記の特徴（１）又は（２）を備える発明において、前記第１プロファイル中の前記後段階調変換と前記差分とを合成した新たな後段階調変換を、前記後段階調変換に代替使用することにより、入力デバイス依存画像データを出力デバイス依存画像データに変換する計算が容易になり、かつ上記特徴（２）のように差分データを記憶するためのメモリ領域が不要になる。
【００１７】
（４）上記の特徴（１）〜（３）のいずれかを有する発明において、前記カラー画像出力デバイスが網点画像を再現するプリンタである場合には、入力デバイス依存画像データを第２出力デバイスであるプリンタにより色の管理された画像として出力することができる。
【００１８】
上記特徴（１）〜（４）記載の発明は、入力デバイス依存画像データに対して複数のカラー画像出力デバイスの色再現を共通化する色再現共通化方法を実施するコンピュータ読取可能なプログラムとして利用に供することができる。このプログラムを格納した記録媒体もこの発明に含まれる。
【発明の効果】
【００１９】
この発明によれば、一のカラー画像出力デバイス用プロファイル（第１出力デバイス用第１プロファイル）を他のカラー画像出力デバイス用プロファイル（第２出力デバイス用プロファイル）に簡易に共用（変換）することができる。
【００２０】
この結果、一のカラー画像入力デバイスから出力される入力デバイス依存画像データに対し複数のカラー画像出力デバイスでの色再現を簡易に共通化することができる。
【発明を実施するための最良の形態】
【００２１】
以下、この発明の色再現共通化方法を実施する画像形成システムについて図面を参照して説明する。
【００２２】
図１は、この実施形態に係る画像形成システム１０の構成図である。この画像形成システム１０は、基本的には、この発明の色再現共通化方法を実施する色再現共通化装置（色再現共用化装置）１２と、入力デバイス依存画像データＳｉを色再現共通化装置１２に出力するカラー画像入力デバイス１４と、色再現共通化装置１２で生成された第１出力デバイス依存画像データＳｏ１を入力して紙等の出力媒体１６上にカラー網点画像等のカラー画像１８を形成する第１カラー画像出力デバイス２１（第１出力デバイス）と、色再現共通化装置１２で生成された第２出力デバイス依存画像データＳｏ２を入力して紙等の出力媒体２４上にカラー網点画像等のカラー画像２６を形成する第２カラー画像出力デバイス２２（第２出力デバイス）とから構成される。
【００２３】
図２に示すように、カラー画像入力デバイス１４は、入力デバイス依存画像データＳｉとしてＣＭＹＫ画像データを出力するカラースキャナや入力デバイス依存画像データＳｉとしてＲＧＢ画像データを出力するデジタルカメラに代表される。
【００２４】
第１及び第２カラー画像出力デバイス２１、２２（図１も参照）は、カラープリンタやＤＤＣＰ装置に代表される。
【００２５】
色再現共通化装置１２は、パーソナルコンピュータ等により構成される。色再現共通化装置１２は、ＣＰＵが各種入力に基づきＲＯＭ等のメモリに記憶されているプログラムを実行することで各種機能を実現する機能実現手段（機能実現部）としても動作する。
【００２６】
この実施形態において、図１に示すように、色再現共通化装置１２は、色再現共通化部３０として機能し、この色再現共通化部３０は、差分生成部３２を機能として備える。差分生成部３２を含む色再現共通化部３０は、コンピュータ読取可能なプログラムとして外部メモリ（記録媒体）３４に記憶することができる。
【００２７】
色再現共通化装置１２は、メモリに予め既知の第１プロファイル４１を格納している。また、後述するように、色再現共通化部３０により生成される第２プロファイル４２もメモリに格納される。
【００２８】
第１プロファイル４１（図２も参照）は、入力デバイス依存画像データＳｉの色を変換して第１出力デバイス依存画像データＳｏ１を生成し、第１カラー画像出力デバイス２１に供給する色再現用のプロファイルである。
【００２９】
第２プロファイル４２は、入力デバイス依存画像データＳｉの色を変換して第２出力デバイス依存画像データＳｏ２を生成し、第２カラー画像出力デバイス２２に供給する色再現用のプロファイルである。
【００３０】
図２は、第１プロファイル４１の詳細な構成を示している。
【００３１】
第１プロファイル４１は、基本的には、入力プロファイル５１ｉｐと出力プロファイル５１ｏｐを結合した第１コアプロファイル５１と、前段階調変換（前段階調変換部）４４と、後段階調変換（後段階調変換部）４６とから構成される。
【００３２】
前段階調変換４４は、カラー画像入力デバイス１４から供給されるＣＭＹＫ画像データあるいはＲＧＢ画像データの各ＣＭＹＫ又は各ＲＧＢをそれぞれ１次元変換で階調変換する１次元変換部４４Ｃ（４４Ｒ）、４４Ｍ（４４Ｇ）、４４Ｙ（４４Ｂ）、４４Ｋから構成されるルックアップテーブルである。
【００３３】
後段階調変換４６は、出力プロファイル５１ｏｐから供給されるＣＭＹＫ画像データの各ＣＭＹＫをそれぞれ１次元変換で階調変換する１次元変換部４６Ｃ、４６Ｍ、４６Ｙ、４６Ｋから構成されるルックアップテーブルである。
【００３４】
入力プロファイル５１ｉｐは、入力デバイス依存画像データＳｉをデバイス非依存データＤｉｎｄに色変換する４次元（４Ｄ）−３次元（３Ｄ）変換部である。デバイス非依存データＤｉｎｄは、例えば、それぞれ３次元データであるＸＹＺ測色値あるいはＬａｂ測色値である。
【００３５】
出力プロファイル５１ｏｐは、デバイス非依存データＤｉｎｄを階調変換前の出力デバイス依存データＳｏ１に色変換する３次元（３Ｄ）−４次元（４Ｄ）変換部である。
【００３６】
以下、分かり易さを考慮し、第１プロファイル４１は、図３に示すように１つに結合したＤＬＰ（デバイスリンクプロファイル）であるものとして説明する。
【００３７】
図３の第１プロファイル４１は、図２を参照して説明したように、前段階調変換４４と、第１コアプロファイル５１と、後段階調変換４６とから構成され、この第１プロファイル４１は、カラー画像入力デバイス１４から供給される入力デバイス依存画像データＳｉを第１カラー画像出力デバイス２１用の出力デバイス依存画像データＳｏ１に変換するものである。
【００３８】
次に、第１カラー画像出力デバイス２１用に作成されている既知の第１プロファイル４１を利用して、第２カラー画像出力デバイス２２用の未知の第２プロファイル４２を簡易に作成する手順について図４に示すフローチャートを参照して説明する。
【００３９】
ステップＳ１において、色再現共通化部３０は、カラー画像入力デバイス１４から出力される入力デバイス依存画像データＳｉを構成する各カラーデータＣＭＹＫのグラデーションデータを、第１プロファイル４１を経由せずに、第１カラー画像出力デバイス２１及び第２カラー画像出力デバイス２２に直接入力し、各出力媒体１６上にカラー画像１８として前記各カラーデータＣＭＹＫグラデーションデータに対応する各パッチを形成する。
【００４０】
もちろん、色再現共通化部３０の中で、入力デバイス依存画像データＳｉを構成する各カラーデータＣＭＹＫのグラデーションデータを生成し、第１カラー画像出力デバイス２１及び第２カラー画像出力デバイス２２に直接入力し、各出力媒体１６、２４上にカラー画像１８、２６として前記各カラーデータＣＭＹＫグラデーションデータに対応する各パッチを形成するようにすることもできる。
【００４１】
次いで、ステップＳ２において、色再現共通化部３０は、出力媒体１６、２４上に形成された各パッチの濃度を図示しない濃度計を通じて測定し、取り込む。
【００４２】
この場合、濃度計を通じて測定し、取り込んだ第１カラー画像出力デバイス２１の１次元階調変換６１と、第２カラー画像出力デバイス２２の１次元階調変換６２は、図５の模式図に示すように表されるものとする。実際上、ＣＭＹＫ各色ごとに異なる１次元階調変換６１、６２が得られる。
【００４３】
図５において、横軸は、例えば１％刻みの網％であり、縦軸は図示しない濃度計で測定した濃度Ｄである。
【００４４】
次いで、ステップＳ３において、色再現共通化部３０の差分生成部３２は、この１次元階調変換６１と１次元階調変換６２とから各色ＣＭＹＫごとの差分（網パーセント差分）Δを求める。理解の容易化のために、第１カラー画像出力デバイス２１の１次元階調変換６１の関数をＤ＝ｆ（ｘ）、第２カラー画像出力デバイス２２の１次元階調変換６２の関数をＤ＝ｇ（ｘ）と近似する。
【００４５】
この場合、入力網パーセントｘ１が第１カラー画像出力デバイス２１では、濃度ＤがＤ＝Ｄ１｛Ｄ１＝ｆ（ｘ１）｝となるので、入力網パーセントｘ１が第２カラー画像出力デバイス２２に入力されたときに、第２カラー画像出力デバイス２２の出力媒体２４上のカラー画像２６で濃度ＤがＤ＝Ｄ１となるようにする。
【００４６】
そのためには、入力網パーセントｘ１が入力網パーセントｘ２となるように変換する必要がある。
【００４７】
Ｄ１＝ｆ（ｘ１）、Ｄ１＝ｇ（ｘ２）であるから、ｇ（ｘ２）＝ｆ（ｘ１）、よって、ｘ２＝ｇ-1｛ｆ（ｘ１）｝、一般的に、（１）式で表すことができる。
ｘ＝ｇ-1｛ｆ（ｘ）｝                      ・・・  （１）
【００４８】
すなわち、第２カラー画像出力デバイス２２上での入力網パーセントｘは、第２カラー画像出力デバイス２２上の１次元階調変換６２の関数ｇ（ｘ）の逆関数（逆変換）で求めることができる。
【００４９】
入力網パーセントｘ１が第２カラー画像出力デバイス２２に入力されたときに、第２カラー画像出力デバイス２２の出力媒体２４上のカラー画像２６で濃度Ｄ１となるようにする差分Δは、次の（２）式で求めることができる。
Δ＝ｘ１−ｘ２＝ｘ１−ｇ−１｛ｆ（ｘ１）｝  ・・・  （２）
【００５０】
各入力網パーセントｘ１に対する各入力網パーセントｘ２の１次元の差分Δのテーブルを差分テーブル１４６とする。差分テーブル１４６は、ＣＭＹＫ各色ごとに作成する。
【００５１】
次いで、ステップＳ４において、第２カラー画像出力デバイス用のプロファイル４２Ａを作成する。第２カラー画像出力デバイス用のプロファイル４２Ａは、図６に示すように、第１プロファイル４１の後段に差分テーブル１４６を接続することで作成される。
【００５２】
ステップＳ１〜Ｓ４の処理を実行するプログラムは、外部メモリ３４（記録媒体）に格納することができ、他のコンピュータによっても読取可能である。
【００５３】
以上説明したように上述した実施形態によれば、入力デバイス依存画像データＳｉに対し前段階調変換４４と第１コアプロファイル５１による色変換と後段階調変換４６を行い第１出力デバイス依存画像データＳｏ１に変換する既知の第１プロファイル４１を、第２カラー画像出力デバイス２２用の第２プロファイル４２Ａに共用（変換）する際、第１カラー画像出力デバイス２１の１次元階調変換６１と第２カラー画像出力デバイス２２の１次元階調変換６２の逆変換との差分Δからなる差分テーブル１４６を求め、第１プロファイル４１と差分テーブル１４６とを、第２カラー画像出力デバイス２２（第２出力デバイス）用の第２プロファイル４２Ａとして使用する。
【００５４】
このように、第１カラー画像出力デバイス２１の１次元階調変換６１と第２カラー画像出力デバイス２２の１次元階調変換６２の逆変換との差分Δを求め、第１プロファイル４１と差分テーブル１４６とを、第２カラー画像出力デバイス２２用の第２プロファイル４２Ａとして使用するようにしているので、第２カラー画像出力デバイス２２によりカラー画像入力デバイス１４の入力デバイス依存画像データＳｉの画像の色を第２カラー画像出力デバイス２２の出力媒体２４上のカラー画像２６により管理・確認することができる。
【００５５】
これにより、一のカラー画像出力デバイス用プロファイル（第１出力デバイス用第１プロファイル４１）を他のカラー画像出力デバイス用プロファイル（第２カラー画像出力デバイス２２用のプロファイル４２Ａ）に簡易に変換することができる。
【００５６】
この結果、一のカラー画像入力デバイス１４から出力される入力デバイス依存画像データＳｉに対し複数のカラー画像出力デバイス（ここでは、第２カラー画像出力デバイス２２であるが、同様にして、第３カラー画像出力デバイス、第４カラー画像出力デバイス）での色再現を簡易に共通化することができる。
【００５７】
ここで、差分Δを求めるとき、入力デバイス依存画像データＳｉを構成する各ＣＭＹＫカラーデータのグラデーションデータを、第１カラー画像出力デバイス２１及び第２カラー画像出力デバイス２２に直接入力し、各出力媒体１６、２４上に形成された第１カラー画像出力デバイス２１及び第２カラー画像出力デバイス２２の前記グラデーションデータに対応する各パッチの各濃度を濃度計で測定し、各パッチの各網パーセント差を前記１次元階調変換６１、６２の逆変換同士の差分Δとして求めることができる。
【００５８】
このようにすれば、差分Δは１Ｄ（ｏｎｅ  ｄｉｍｅｎｓｉｏｎ：１次元）であるので、計算はきわめて短時間に処理できる。しかも差分（差分データ）Δを記憶するメモリ容量も極めて少容量でよい。
【００５９】
この場合、第１プロファイル４１中の後段階調変換４６と差分テーブル１４６とを合成して新たな後段階調変換４６Ｓを作成すれば、図７に示すように、前段階調変換４４、第１コアプロファイル５１による色変換及び後段階調変換４６Ｓからなる簡単な構成（差分テーブル１４６格納用のメモリが不要となる。）の第２プロファイル４２（図１も参照）を作成することができる。
【００６０】
第１プロファイル４１及び第２プロファイル４２は、図７に示すように、パーソナルコンピュータ１００にインストールして利用に供することができる。そして、例えば、カラー画像入力デバイス１４及び第１プロファイル４１及び第１カラー画像出力デバイス２１がＡ社製であるとき、第１プロファイル４１を共用化した第２プロファイル４２を作成することでＢ社製の第２カラー画像出力デバイス２２によりＡ社製の第１カラー画像出力デバイス２１の色再現を簡易にシミュレーションすることができる。
【００６１】
なお、この発明は、上述の実施形態に限らず、この明細書の記載内容に基づき、種々の構成を採り得ることはもちろんである。
【図面の簡単な説明】
【００６２】
【図１】この発明の色再現共通化方法を実施する一実施形態に係る色再現共通化装置を含む画像形成システムの構成図である。
【図２】第１プロファイルの詳細構成の説明図である。
【図３】第１プロファイルの簡易表現の説明図である。
【図４】第２プロファイル作成手順を説明するフローチャートである。
【図５】差分生成の説明図である。
【図６】第２プロファイルの構成説明図である。
【図７】簡単化した第２プロファイルの構成説明図である。
【符号の説明】
【００６３】
１０…画像形成システム                １２…色再現共通化装置
１４…カラー画像入力デバイス          １６、２４…出力媒体
１８、２６…カラー画像                ２１…第１カラー画像出力デバイス
２２…第２カラー画像出力デバイス      ３０…色再現共通化部
３２…差分生成部                      ４１…第１プロファイル
４２…第２プロファイル
４２Ａ…第２カラー画像出力デバイス用のプロファイル
４６Ｓ…後段階調変換                  ５１…第１コアプロファイル
６１、６２…１次元階調変換
【図１】
0005127568.tif 000002
【図２】
0005127568.tif 000003
【図３】
0005127568.tif 000004
【図４】
0005127568.tif 000005
【図５】
0005127568.tif 000006
【図６】
0005127568.tif 000007
【図７】
0005127568.tif 000008